(57)【特許請求の範囲】
【請求項１】
光源カートリッジを収納可能な筒状部を有し、前記光源カートリッジに交流電力を供給するための給電コイルが内蔵された給電体と、
前記給電コイルに前記交流電力を供給する送電制御回路と、
前記給電体への前記光源カートリッジの挿入深度を示すインジケータと、を備え、
前記給電体は、前記光源カートリッジの前記筒状部への挿入深度を自由に変更可能に形成され、かつ、前記光源カートリッジを変更後の挿入深度にて安定させて固定する機構を有することを特徴とするワイヤレス給電装置。
【請求項２】
前記給電体の前記筒状部の内壁にはねじ溝が設けられ、前記ねじ溝により前記光源カートリッジを固定することを特徴とする請求項１に記載のワイヤレス給電装置。
【請求項３】
複数の前記給電体を有し、
前記送電制御回路は、前記複数の給電体に対して前記交流電力を供給することを特徴とする請求項１または２に記載のワイヤレス給電装置。
【請求項４】
前記複数の給電体は並列接続され、
前記送電制御回路は、前記複数の給電体に対して同一の交流電圧を供給することを特徴とする請求項３に記載のワイヤレス給電装置。
【請求項５】
前記送電制御回路は、
ダイオードをブリッジ接続したブリッジ整流回路と、
前記ブリッジ整流回路の４つの接続点のうち第１接続点と第２接続点の間に接続される交流電源と、
前記４つの接続点のうち第３接続点と第４接続点の間に接続され、前記交流電源により充電されるキャパシタと、
前記キャパシタから放電される電流の経路に挿入されるスイッチと、
前記スイッチを間欠的に導通させることにより、前記キャパシタから前記給電コイルに交流電流を供給する発振器と、
を含むことを特徴とする請求項１から４のいずれかに記載のワイヤレス給電装置。
【請求項６】
前記発振器は、その発振周波数を制御可能に形成され、
前記発振周波数により、前記交流電力の大きさが変化することを特徴とする請求項５に記載のワイヤレス給電装置。
【請求項７】
前記給電体の内部において、前記給電コイルは第１のキャパシタと接続され、
前記光源カートリッジに含まれる受電コイルおよび第２のキャパシタの共振周波数と、
前記給電コイルおよび前記第１のキャパシタの共振周波数は等しく、
前記送電制御回路は、前記共振周波数にて前記交流電力を供給することを特徴とする請求項１から６のいずれかに記載のワイヤレス給電装置。
【請求項８】
請求項１から７のいずれかに記載のワイヤレス給電装置における給電体に挿入可能に形成され、
光源体と、
前記光源体と接続される受電コイルと、
前記給電体と本体を固定する手段と、
前記給電体への挿入深度を示すインジケータ、を備え、
前記受電コイルは、前記給電体と本体の取り付け時において前記給電コイルと対向する位置に設けられることを特徴とする光源カートリッジ。
【請求項９】
請求項１から７のいずれかに記載のワイヤレス給電装置と、
前記ワイヤレス給電装置の前記給電体に挿入される請求項８に記載の光源カートリッジと、
を備えることを特徴とするワイヤレス照明システム。
【発明の詳細な説明】
【技術分野】
【０００１】
本発明は、交流電力のワイヤレス給電に関し、特に、そのパワー制御に関する。
【背景技術】
【０００２】
電源コードなしで電力を供給するワイヤレス給電技術が注目されつつある。現在のワイヤレス給電技術は、（Ａ）電磁誘導を利用するタイプ（近距離用）、（Ｂ）電波を利用するタイプ（遠距離用）、（Ｃ）磁場の共振現象を利用するタイプ（中距離用）の３種類に大別できる。
【０００３】
電磁誘導を利用するタイプ（Ａ）は、電動シェーバーなどの身近な家電製品において一般的に利用されているが、距離を大きくすると電力伝送効率が急激に低下してしまうため数ｃｍ程度の近距離でしか使えないという課題がある。電波を利用するタイプ（Ｂ）は、遠距離で使えるが電力が小さいという課題がある。磁場共振現象を利用するタイプ（Ｃ）は、比較的新しい技術であり、数ｍ程度の中距離でも高い電力伝送効率を実現できることから特に期待されている。たとえば、ＥＶ（Electric Vehicle）の車両下部に受電コイルを埋め込み、地中の給電コイルから非接触にて電力を送り込むという案も検討されている。ワイヤレスであるため完全に絶縁されたシステム構成が可能であり、特に、雨天時の給電に効果的であると考えられる。以下、タイプ（Ｃ）を「磁場共振型」とよぶ。
【０００４】
磁場共振型は、マサチューセッツ工科大学が２００６年に発表した理論をベースとしている（特許文献１参照）。特許文献１では、４つのコイルを用意している。これらのコイルを給電側から順に「エキサイトコイル」、「給電コイル」、「受電コイル」、「ロードコイル」とよぶことにする。エキサイトコイルと給電コイルは近距離にて向かい合わされ、電磁結合する。同様に、受電コイルとロードコイルも近距離にて向かい合わされ、電磁結合する。これらの距離に比べると、給電コイルから受電コイルまでの距離は「中距離」であり、比較的大きい。このシステムの目的は、給電コイルから受電コイルにワイヤレス給電することである。
【０００５】
エキサイトコイルに交流電力を供給すると、電磁誘導の原理により給電コイルにも電流が流れる。給電コイルが磁場を発生させ、給電コイルと受電コイルが磁気的に共振すると、受電コイルには大きな電流が流れる。電磁誘導の原理によりロードコイルにも電流が流れ、ロードコイルと直列接続される負荷から交流電力が取り出される。磁場共振現象を利用することにより、給電コイルから受電コイルまでの距離が大きくても高い電力伝送効率を実現できる。
【先行技術文献】
【特許文献】
【０００６】
【特許文献１】米国公開２００８／０２７８２６４号公報
【特許文献２】特開２００６−２３００３２号公報
【特許文献３】国際公開２００６／０２２３６５号公報
【特許文献４】米国公開２００９／００７２６２９号公報
【特許文献５】米国公開２００９／００１５０７５号公報
【特許文献６】実用新案登録３１４９１４６号公報
【特許文献７】特開２００８−３１０９６３号公報
【特許文献８】特表２００６−５２３３６３号公報
【発明の概要】
【発明が解決しようとする課題】
【０００７】
ワイヤレス給電の場合、給電コイルと受電コイルの距離によって給電電力が変化する。特許文献８が開示する卓上ランプは、上記タイプ（Ａ）ではあるが、一次コイルと二次コイルの距離により、ランプの明るさを調整している。卓上ランプには光源や二次コイルを内蔵する紡錘形のランプアセンブリが吊り下げられ、一次コイルを含む一次ハウジングが卓上ランプのシャフトに取り付けられる。一次ハウジングを上下動させることにより、一次コイルと二次コイルの距離が変化し、ランプの明るさが変化する。
【０００８】
しかし、特許文献８の卓上ランプの場合、ランプアセンブラリはこの卓上ランプ専用の形状を有している。したがって、その取り付け方法は、一般的な電球の取り付け方法とは大きく異なる。また、ランプアセンブラリと卓上ランプの接続部と、一次ハウジングと卓上ランプの接続部が強度上のウィークポイントとなっている。
【０００９】
本発明の主たる目的は、一般的な電球の取り付け方法を踏襲しつつ、ワイヤレス給電により照明の明るさを制御する技術、を提供することにある。
【課題を解決するための手段】
【００１０】
本発明におけるワイヤレス給電装置は、光源カートリッジを収納可能な筒状部を有し、光源カートリッジに交流電力を供給するための給電コイルが内蔵された給電体と、給電コイルに交流電力を供給する送電制御回路を備える。給電体は、光源カートリッジの筒状部への挿入深度を変更可能に形成され、かつ、光源カートリッジを固定する機構を有する。給電体の筒状部の内壁にはねじ溝を設け、ねじ溝により光源カートリッジを固定してもよい。
【００１１】
このような構成によれば、一般的な電球の取り付け作業とほぼ同等の感覚で光源カートリッジを給電体に取り付けることが可能となる。また、光源カートリッジは筒状部に内蔵されるため、光源カートリッジを給電体の内部に安定的に設置しやすくなる。
【００１２】
この装置は、複数の給電体を有してもよい。そして、送電制御回路は、複数の給電体に対して交流電力を供給してもよい。複数の給電体は並列接続されてもよい。この場合、送電制御回路は、複数の給電体に対して同一の交流電圧を供給してもよい。
【００１３】
送電制御回路は、ダイオードをブリッジ接続したブリッジ整流回路と、ブリッジ整流回路の４つの接続点のうち第１接続点と第２接続点の間に接続される交流電源と、４つの接続点のうち第３接続点と第４接続点の間に接続され、交流電源により充電されるキャパシタと、キャパシタから放電される電流の経路に挿入されるスイッチと、スイッチを間欠的に導通させることにより、キャパシタから給電コイルに交流電流を供給する発振器を含んでもよい。発振器は、その発振周波数を制御可能に形成されてもよい。発振周波数により、交流電力の大きさを変化させてもよい。
【００１４】
給電体の内部において、給電コイルは第１のキャパシタと接続されてもよい。光源カートリッジに含まれる受電コイルおよび第２のキャパシタの共振周波数と、給電コイルおよび第１のキャパシタの共振周波数が等しくなるように構成されてもよい。送電制御回路は、共振周波数にて交流電力を供給してもよい。この装置は、給電体への光源カートリッジの挿入深度を示すインジケータを備えてもよい。
【００１５】
本発明における光源インジケータは、上述のワイヤレス給電装置における給電体に挿入可能に形成され、光源体と、光源体と接続される受電コイルと、給電体と本体を固定する手段を備える。受電コイルは、給電体と本体の取り付け時において給電コイルと対向する位置に設けられる。この光源カートリッジは、給電体への挿入深度を示すインジケータを備えてもよい。
【００１６】
なお、以上の構成要素の任意の組み合わせ、本発明の表現を方法、装置、システムなどの間で変換したものもまた、本発明の態様として有効である。
【発明の効果】
【００１７】
本発明によれば、一般的な電球の取り付け方法を踏襲しつつ、ワイヤレス給電により照明の明るさを制御することが可能となる。
【図面の簡単な説明】
【００１８】
【図１】ワイヤレス照明システムのシステム構成図である。
【図２】光源カートリッジを給電体に取り付けた状態の側断面図および正面図である。
【図３】共振回路のインピーダンスと駆動周波数の関係を示すグラフである。
【図４】コイル間距離と給電電力の関係を示すグラフである。
【発明を実施するための形態】
【００１９】
以下、添付図面を参照しながら、本発明の好ましい実施形態を説明する。
【００２０】
図１は、ワイヤレス照明システム１００のシステム構成図である。ワイヤレス照明システム１００は、ワイヤレス給電装置１０２と複数の光源カートリッジ１０４（１０４（１）〜１０４（ｎ））を含む。光源カートリッジ１０４は、「ワイヤレス受電装置」として機能する。ワイヤレス給電装置１０２は、基本構成として、送電制御回路１０８と複数の給電体１０６（１０６（１）〜１０６（ｎ））を含む。給電体１０６の数と光源カートリッジ１０４の数は同数である。
【００２１】
給電体１０６が内蔵する給電コイルＬ２と、光源カートリッジ１０４が内蔵する受電コイルＬ３は数ｍｍ程度の距離を介して対向する。ワイヤレス照明システム１００は、給電コイルＬ２から受電コイルＬ３にワイヤレスにて交流電力を送る。本実施形態におけるワイヤレス照明システム１００は、１００ｋＨｚ以下の共振周波数ｆｒにて動作させることを想定したシステムである。以下、共振周波数ｆｒ＝１００ｋＨｚとして説明する。なお、本実施形態におけるワイヤレス照明システム１００は、たとえば、ＩＳＭ（Industry-Science-Medical）周波数帯のような高周波数帯にて動作させることも可能である。
【００２２】
給電体１０６は、給電コイルＬ２およびキャパシタＣ２、インダクタＬ５を含む給電コイル回路１１０を内蔵する。給電体１０６のインダクタＬ５と、送電制御回路１０８側のインダクタＬ６によりトランスＴ２が形成される。送電制御回路１０８から給電体１０６にはトランスＴ２を介して交流電力が供給される。給電コイルＬ２とキャパシタＣ２それぞれの値は、給電コイル回路１１０の共振周波数ｆｒ＝１００ｋＨｚとなるように設定される。
【００２３】
光源カートリッジ１０４は、受電コイル回路１１２とロード回路１１４を内蔵する。受電コイル回路１１２は、受電コイルＬ３とキャパシタＣ３が直列接続された回路である。給電コイルＬ２と受電コイルＬ３は互いに向かい合っている。受電コイル回路１１２の共振周波数ｆｒも１００ｋＨｚとなるように、受電コイルＬ３とキャパシタＣ３それぞれの値が設定されている。給電コイルＬ２と受電コイルＬ３は同一形状である必要はない。給電コイルＬ２が共振周波数ｆｒにて磁界を発生させると、給電コイルＬ２と受電コイルＬ３は磁気的に共振し、受電コイル回路１１２に大きな電流が流れる。
【００２４】
ロード回路１１４は、ロードコイルＬ４と平滑回路１１６、ＬＥＤ列１１８が接続された回路である。受電コイルＬ３とロードコイルＬ４は互いに向かい合っている。受電コイルＬ３とロードコイルＬ４の距離は比較的近い。このため、受電コイルＬ３とロードコイルＬ４は電磁的に強く結合している。平滑回路１１６は、キャパシタＣ６とダイオードＤ６を含む一般的な構成を有し、ロードコイルＬ４の交流電流を平滑する。平滑後の電流はＬＥＤ列１１８に供給され、ＬＥＤ列１１８を発光させる。まとめると、給電コイルＬ２から送電された交流電力は、光源カートリッジ１０４の受電コイルＬ３により受電され、ロードコイルＬ４を介してＬＥＤ列１１８に供給される。
【００２５】
ＬＥＤ列１１８を受電コイル回路１１２に直列接続すると、受電コイル回路１１２のＱ値が悪くなる。このため、受電用の受電コイル回路１１２と電力取り出し用のロード回路１１４を分離している。また、電力伝送効率を高めるためには、給電コイルＬ２、受電コイルＬ３およびロードコイルＬ４の中心線を揃えることが好ましい。
【００２６】
次に、送電制御回路１０８の構成を説明する。図１に示す点Ａと点Ｂの間にキャパシタＣ４が接続される。キャパシタＣ４は、交流電源１２０の電圧によって充電される。キャパシタＣ４の電圧（ＡＢ間の電圧）を入力電圧ＶＩＮとよぶ。
【００２７】
交流電源１２０は通常の商用電源である。交流電源１２０の交流電圧は平滑回路１２２により平滑されたあと、ブリッジ整流回路１２４により整流され、直流電圧に変換される。平滑回路１２２は、インダクタＬ１とキャパシタＣ１を含む一般的な回路である。ブリッジ整流回路１２４は、４つのダイオードＤ１〜Ｄ４がブリッジ接続された回路である。交流電源１２０の一端は平滑回路１２２を介してダイオードＤ１とダイオードＤ２の接続点Ｐ１と接続され、他端は平滑回路１２２を介してダイオードＤ３とダイオードＤ４の接続点Ｐ２と接続される。ダイオードＤ１とダイオードＤ３の接続点Ｐ３は、キャパシタＣ４の負極側である点Ｂと接続され、ダイオードＤ２とダイオードＤ４の接続点Ｐ４は、キャパシタＣ４の正極側である点Ａと接続される。
【００２８】
交流電源１２０から流れる交流電流のうち、接続点Ｐ１に流れ込む電流は、ダイオードＤ２、接続点Ｐ４、点Ａ、キャパシタＣ４、点Ｂ、接続点Ｐ３、ダイオードＤ３を経由して帰還する。交流電源１２０から流れる交流電流のうち、接続点Ｐ２に流れ込む電流は、ダイオードＤ４、接続点Ｐ４、点Ａ、キャパシタＣ４、点Ｂ、接続点Ｐ３、ダイオードＤ１、接続点Ｐ１を経由して帰還する。交流電源１２０の電流の向きは、交流電源１２０の周波数、たとえば、５０Ｈｚにて変化する。交流電源１２０の実効電圧が１００（Ｖ）のときには、最大電圧値である約１４１（Ｖ）がキャパシタＣ４に印加される。
【００２９】
スイッチングトランジスタＱ１とスナバ回路１２６（Snubber Circuit）の直列回路がキャパシタＣ４に対して並列接続される。スナバ回路１２６は、抵抗Ｒ１、キャパシタＣ５、ダイオードＤ５を含む一般的な回路であり、スイッチングトランジスタＱ１のオフ時に発生する電圧波形のスパイクを軽減するために挿入される。
【００３０】
スイッチングトランジスタＱ１のドレイン（Ｄ）はスナバ回路１２６を介して点Ａと接続され、ソース（Ｓ）は点Ｂと接続される。スイッチングトランジスタＱ１のゲート（Ｇ）には発振器１２８が接続される。発振器１２８の発振周波数は、２０〜１００ｋＨｚの範囲で調整可能である。スイッチングトランジスタＱ１がオンされると、キャパシタＣ４からスナバ回路１２６やスイッチングトランジスタＱ１に電流が流れる。
【００３１】
スナバ回路１２６に並列接続されるインダクタＬ６と、給電体１０６側のインダクタＬ７によりトランスＴ１が形成される。発振器１２８によりスイッチングトランジスタＱ１のオン・オフが繰り返されるため、トランスＴ１には交流電力が供給される。インダクタＬ７を流れる交流電流はインダクタＬ６に流れ、インダクタＬ６とトランスＴ２を形成するインダクタＬ５にも電流が流れる。インダクタＬ７に対しては、複数のインダクタＬ６（１）〜Ｌ（ｎ）が並列接続される。このため、給電体１０６（１）〜１０６（ｎ）には同一の交流電圧が供給される。
【００３２】
まとめると、交流電源１２０によりキャパシタＣ４が充電され、発振器１２８によりキャパシタＣ４からインダクタＬ６への放電タイミングが制御される。インダクタＬ６の交流電圧は２つのトランスＴ１、Ｔ２により降圧され、給電コイル回路１１０に交流電力が供給される。給電コイル回路１１０から光源カートリッジ１０４に交流電力が供給され、ＬＥＤ列１１８が発光する。このような構成により、一般的な商用電源から任意の周波数にて交流電力を光源カートリッジ１０４に供給できる。発振周波数を共振周波数と等しい１００ｋＨｚに設定したとき、給電コイルＬ２と受電コイルＬ３が磁場共振するため、給電コイル回路１１０の電力伝送効率は最大となる。
【００３３】
図２は、光源カートリッジ１０４を給電体１０６に取り付けた状態における側断面図および正面図である。光源カートリッジ１０４の内部には、受電コイル回路１１２やロード回路１１４が密封される。同様に、給電体１０６内部には、給電コイル回路１１０が密封される。このため、給電体１０６と光源カートリッジ１０４は、いずれも電気的接点が露出しない構成となっている。
【００３４】
図２に示すように、給電体１０６は光源カートリッジ１０４を収納可能な筒状部を有する。この筒状部の底面に、給電コイルＬ２が埋設される。給電体１０６の内壁面にはねじ溝が切られており、同じくねじ溝を切られた外壁面を有する光源カートリッジ１０４が給電体１０６内に挿入される。
【００３５】
光源カートリッジ１０４を回転させることにより、光源カートリッジ１０４の挿入深度を調整できる。ねじ溝によって、光源カートリッジ１０４と給電体１０６は互いに固定される。
【００３６】
コイル間距離ｄが大きいときには、給電体１０６から見たインピーダンスが大きくなるため、給電電力が小さくなる。したがって、コイル間距離ｄを大きくすれば、ＬＥＤ列１１８の照度も低下し、消費電力も抑制される。
【００３７】
光源カートリッジ１０４を給電体１０６の筒状部にはめこんで回転させることにより、光源カートリッジ１０４を給電体１０６に取り付けることができる。すなわち、光源カートリッジ１０４の取り付け方法は、一般的な電球の取り付け作業方法とほぼ同じである。ユーザにとっても違和感の少ない取り付け構造となっている。光源カートリッジ１０４は、一般的な電球のサイズと同サイズにて形成されてもよい。ねじ構造を有するため、光源カートリッジ１０４の挿入深度を微調整しやすく、かつ、安定させやすい。なお、光源カートリッジ１０４を給電体１０６に挿入・安定させる機構はねじ構造に限られない。たとえば、光源カートリッジ１０４を挿入後、フックなどの取り付け機構により光源カートリッジ１０４の位置を安定させてもよい。いずれにしても、光源カートリッジ１０４および給電体１０６の双方または一方に、光源カートリッジ１０４の挿入深度を自由に変更し、かつ、変更後の挿入深度にて安定させる機構があればよい。
【００３８】
一般的な電球を通電中に取り付けるのは危険であるが、本実施形態に示す光源カートリッジ１０４は非接触給電であるため通電中でも安全に取り付けることができる。このため、実際の明るさを確認しながら取り付け作業を行うことができる。
【００３９】
発振周波数を調整すれば、複数の光源カートリッジ１０４の明るさをまとめて調整できる。そして、光源カートリッジ１０４ごとに挿入深度を調整することにより、光源カートリッジ１０４の明るさを個別に微調整できる。すなわち、ワイヤレス照明システム１００は、多くの光源カートリッジ１０４の明るさをまとめて調整する機能と、各光源カートリッジ１０４の明るさを個別に調整する機能を備えるため、利便性と制御性を両立させることができる。
【００４０】
給電体１０６は、挿入深度を示すインジケータ１３２を備える。給電体１０６の内壁には、挿入方向にセンサ列１３０が取り付けられる。センサ列１３０に含まれる各センサは光電センサであり、インジケータ１３２に接続される。光源カートリッジ１０４がセンサの近くまで挿入されると、センサは検出信号を発生させる。光源カートリッジ１０４が深く挿入されるほど、多くのセンサが検出信号を発生させる。検出信号を発生させるセンサの数により、インジケータ１３２は挿入深度を検出し、挿入深度を表示させる。インジケータ１３２は、たとえば、複数のＬＥＤを含み、その点灯個数によって挿入深度を示してもよい。
【００４１】
インジケータ１３２とセンサ列１３０は、インジケータ１３２側でなく光源カートリッジ１０４側に設けられてもよい。あるいは、単に、光源カートリッジ１０４に目盛りをつけておき、この目盛りにより挿入深度を示してもよい。この場合には、目盛りがインジケータとして機能する。インジケータを設ければ、非通電時であっても、ユーザは光源カートリッジ１０４の明るさを見積もることができる。
【００４２】
図３は、共振回路のインピーダンスＺと駆動周波数ｆｏの関係を示すグラフである。縦軸は、給電コイル回路１１０中における共振回路部分（キャパシタＣ２と給電コイルＬ２の直列回路）のインピーダンスＺを示す。横軸は駆動周波数ｆｏを示す。ここでいう駆動周波数ｆｏとは、給電コイルＬ２から受電コイルＬ３に供給される交流電力の周波数であり、本実施形態においては発振器１２８の発振周波数により規定される。共振回路のインピーダンスＺは、共振時において最低値Ｚｍｉｎとなる。共振時にＺｍｉｎ＝０となるのが理想であるが、共振回路には若干の抵抗成分が含まれるため、Ｚｍｉｎは通常ゼロとはならない。
【００４３】
図３においては、駆動周波数ｆｏ＝１００ｋＨｚ、すなわち、駆動周波数ｆｏ＝共振周波数ｆｒとなるとき、インピーダンスＺは最低となり、キャパシタＣ２と給電コイルＬ２は共振状態となる。駆動周波数ｆｏと共振周波数ｆｒがずれると、インピーダンスＺにおける容量性リアクタンスまたは誘導性リアクタンスが優勢となるためインピーダンスＺも大きくなる。
【００４４】
駆動周波数ｆｏが共振周波数ｆｒと一致するとき、給電コイルＬ２には共振周波数ｆｒの交流電流が流れ、受電コイルＬ３にも共振周波数ｆｒの交流電流が流れる。給電コイルＬ２およびキャパシタＣ２と、受電コイルＬ３およびキャパシタＣ３は、同一の共振周波数ｆｒにて共振するため、給電コイルＬ２から受電コイルＬ３への電力伝送効率は最大となる。
【００４５】
駆動周波数ｆｏと共振周波数ｆｒがずれると、給電コイルＬ２には非・共振周波数の交流電流が流れる。このため、給電コイルＬ２と受電コイルＬ３は磁気的に共振できなくなるため、電力伝送効率は低下する。
【００４６】
したがって、発振器１２８の発振周波数を共振周波数ｆｒ付近で調整することにより、複数の光源カートリッジ１０４の明るさをまとめて制御できる。
【００４７】
図４は、コイル間距離と給電電力の関係を示すグラフである。縦軸は給電コイルＬ２から供給される給電電力を示し、横軸はコイル間距離を示す。コイル間距離ｄが大きくなるほど、給電コイル回路１１０の供給電力も低下する。
【００４８】
以上、実施形態に基づいてワイヤレス照明システム１００を説明した。ワイヤレス照明システム１００においては、光源カートリッジ１０４の挿入深度を調整することにより、光源カートリッジ１０４ごとの明るさを個別調整できる。一般的な電球の取り付け時における使用感と同様の使用感にて光源カートリッジ１０４を取り付けることができるというメリットがある。
【００４９】
ワイヤレス給電装置１０２は、さまざまな周波数の交流商用電源に対応できる。交流電流をいったん直流化した上で、発振器１２８の発振周波数により任意の周波数にて給電電力を生成できる。発振器１２８の発振周波数を調整することにより、複数の光源カートリッジ１０４をまとめて制御できる。
【００５０】
更に、インジケータ１３２を設けることにより、非通電時においても挿入深度を確認しやすくなる。
【００５１】
以上、本発明を実施の形態をもとに説明した。実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５２】
１００  ワイヤレス照明システム、１０２  ワイヤレス給電装置、１０４  光源カートリッジ、１０６  給電体、１０８  送電制御回路、１１０  給電コイル回路、１１２  受電コイル回路、１１４  ロード回路、１１６  平滑回路、１１８  ＬＥＤ列、１２０  交流電源、１２２  平滑回路、１２４  ブリッジ整流回路、１２６  スナバ回路、１２８  発振器、１３０  センサ列、１３２  インジケータ、Ｌ２  給電コイル、Ｌ３  受電コイル、Ｌ４  ロードコイル
【図１】
0005573439.tif 000002
【図２】
0005573439.tif 000003
【図３】
0005573439.tif 000004
【図４】
0005573439.tif 000005